(57)【要約】【課題】狭いスペース内でも効率がよく確実なコーキングを行うことができる経済性に優れたコーキング方法を提供する。【解決手段】筒状のカートリッジ本体９３と、このカートリッジ本体９３の先端部に設けたノズル９７と、カートリッジ本体９３内に配置したスライド底部と、を有し、カートリッジ本体９３内にコーキング材を収容しているコーキングカートリッジ９１を用いてコーキング作業を行う。コーキング材が少なくなったら、スライド底部よりも後側のカートリッジ本体９３部分を切断する。切断したコーキングカートリッジ９１に対応する長さのカートリッジ装着部５を備えた小型のコーキングガン１に、切断したコーキングカートリッジ９１を装着してコーキング作業を行う。【選択図】図１０
2013047422.tif 000002
【特許請求の範囲】
【請求項１】
筒状のカートリッジ本体、このカートリッジ本体の前端部に設けられたノズル部及びこのカートリッジ本体内に配置されたスライド底部を有し、前記カートリッジ本体内にコーキング材が収容されているコーキングカートリッジを用いてコーキングを行うコーキング方法であって、
前記スライド底部が前記カートリッジ本体の前方位置に移動し、前記カートリッジ本体内の前記コーキング材の一部がすでに前記ノズル部から放出されている前記コーキングカートリッジを準備するカートリッジ準備工程と、
前記カートリッジ準備工程で準備された前記コーキングカートリッジの前記カートリッジ本体の前記前方位置よりも後側を切断する切断工程と、
後側が切断された前記カートリッジ本体に対応する長さのカートリッジ装着部、このカートリッジ装着部に装着された前記コーキングカートリッジの前記スライド底部を押して前方にスライド移動させる押圧ピストン及び手で支えるための把持部を備え、この把持部が把持部本体及び前記押圧ピストンを前進させるためのレバーを有しているコーキングガンを準備するガン準備工程と、
前記切断工程で前記カートリッジ本体の後側が切断された前記コーキングカートリッジを前記カートリッジ装着部に装着し、前記把持部を握り前記レバーを操作して前記押圧ピストンを前進させ、この押圧ピストンで前記スライド底部を押して前方にスライド移動させることにより、前記ノズル部から前記コーキング材をコーキング個所に向けて放出する充填工程と、を備えることを特徴とするコーキング方法。
【請求項２】
前記把持部には、前記カートリッジ本体の前記前方位置よりも後側を切断する切断歯部材が設けられている、ことを特徴とする請求項１記載のコーキング方法。
【請求項３】
前記切断歯部材は、前記把持部本体又は前記レバーに収容される収容位置と、前記把持部本体又は前記レバーから突出する切断位置とに変位可能であり、
前記切断歯部材を前記切断位置に変位させ、この切断歯部材と前記把持部本体又は前記レバーとで前記カートリッジ本体を挟み付け、このカートリッジ本体を回転させることにより前記カートリッジ本体の後側を切断する、ことを特徴とする請求項２記載のコーキング方法。
【請求項４】
筒状のカートリッジ本体、このカートリッジ本体の前端部に設けられたノズル部及びこのカートリッジ本体内に配置されたスライド底部を有し、前記カートリッジ本体内にコーキング材が収容されているコーキングカートリッジを装着し、前記ノズル部から前記コーキング材を放出させるコーキングガンであって、
前記コーキングカートリッジを装着するためのカートリッジ装着部と、このカートリッジ装着部に装着された前記コーキングカートリッジの前記スライド底部を押して前方にスライド移動させる押圧ピストンと、この押圧ピストンを支えるピストンロッドと、コーキングガンを手で支えるための把持部と、を備え、この把持部が、把持部本体及び前記ピストンロッドを作動させて前記押圧ピストンを前進させるレバーを有していて、
前記カートリッジ装着部は、後側が切断された前記カートリッジ本体に対応する長さを有し、
前記把持部には、前記カートリッジ本体の後側を切断する切断歯部材が設けられている、ことを特徴とするコーキングガン。
【請求項５】
前記切断歯部材は、前記把持部本体又は前記レバーに収容される収容位置と、前記把持部本体又は前記レバーから突出する切断位置とに変位可能であり、
前記切断歯部材を前記切断位置に変位させ、この切断歯部材と前記把持部本体又は前記レバーとで前記カートリッジ本体を挟み付け、このカートリッジ本体を回転させることにより前記カートリッジ本体の後側を切断できるように構成されている、ことを特徴とする請求項４記載のコーキングガン。
【請求項６】
前記押圧ピストンは前記ピストンロッドの前端部に取り外し可能の取り付けられていて、前記押圧ピストンを取り外すことにより、前記ピストンロッドの前端部を、前記コーキングカートリッジの前記スライド底部を後端側に押し戻す押し戻し部として形成できる、ことを特徴とする請求項４又は５記載のコーキングガン。
【発明の詳細な説明】
【技術分野】
【０００１】
本発明は、リフォーム工事などの建築工事で施工される、目地などの隙間をコーキング材で塞ぐコーキング方法及びこのコーキング方法に用いるコーキングガンに関するものである。
【背景技術】
【０００２】
建築工事では、気密性や防水性を確保するために、目地などの隙間にコーキング材を充填してこの隙間を埋めておく必要がある。隙間を埋めるこのようなコーキング方法には、例えば特許文献１や特許文献２に示されているように、前端部にノズル部を有し、内部にスライド底部が配置された筒状のカートリッジ本体内にコーキング材を収容したコーキングカートリッジをコーキングガンに取り付け、このコーキングガンを操作してスライド底部を前方にスライド移動させながらコーキングカートリッジのノズル部から目地などにコーキング材を放出するといった手法が用いられている。
【先行技術文献】
【特許文献】
【０００３】
【特許文献１】特開２００３−２１３９２６号公報
【特許文献２】特開２００４−３０８１１９号公報
【発明の概要】
【発明が解決しようとする課題】
【０００４】
しかしながら、従来のコーキングカートリッジは３００ｍｍ程度の長さを有し、未使用のコーキングカートリッジを装着したときにはピストンロッドが後方に長く突出するので、コーキングカートリッジを装着したコーキングガンの長さは例えば６１０ｍｍ程度にもなる。このような長いコーキングガンは取り回し性に劣るので、特に一般住宅のリフォーム工事の際に狭いスペース内で使用するには不便であり、しばしば、コーキングカートリッジのノズル部を充填対象の隙間個所に位置させることが難しくなってしまう。このような場合には、作業者の手で直接、コーキング材を隙間に塗ることとなるが、作業効率が悪いし、確実な気密性や防水性の確保も難しい。
【０００５】
ここで、短いコーキングカートリッジと、この短いコーキングカートリッジを取り付けるための小型のコーキングガンとを用いれば、長いコーキングガンを用いる場合の不便さは解消するが、短いコーキングガンだけを使用すると、コーキングカートリッジを頻繁に取り換えなければならないので、かえって作業効率が低下する。したがって、小型のコーキングガンを用いる場合でも、長いコーキングガンを併用する必要がある。ところが、長いコーキングガンの場合には、コーキングカートリッジ内のコーキング材の残存量が少なくなるにつれて、ピストンロッドがロッド支持部よりも大きく前方に突出して延びるので、スライド底部の押圧時に、ピストンロッドの前端部、すなわち押圧ピストンが大きく軸振れしやすくなり、スライド底部をスムーズに前方にスライド移動させることが難しくなってしまう。したがって、長いコーキングカートリッジを使用すると、コーキング材を使い切らないうちに、コーキングカートリッジを廃棄することとなり、工事の材料コスト高につながる。また、そもそも、短いコーキングカートリッジを常に作業者が購入できるとも限らないし、購入できたとしてもこのような短いコーキングカートリッジは価格が高いおそれがある。
【０００６】
そこで本発明は、狭いスペース内でも効率よく確実なコーキングを行うことができる経済性に優れたコーキング方法及びこのコーキング方法に用いることができるコーキングガンを提供することを目的としている。
【課題を解決するための手段】
【０００７】
この目的を達成するための本発明のコーキング方法は、筒状のカートリッジ本体、このカートリッジ本体の前端部に設けられたノズル部及びこのカートリッジ本体内に配置されたスライド底部を有し、前記カートリッジ本体内にコーキング材が収容されているコーキングカートリッジを用いてコーキングを行うコーキング方法であって、前記スライド底部が前記カートリッジ本体の前方位置にスライド移動し、前記カートリッジ本体内の前記コーキング材の一部がすでに前記ノズル部から放出されている前記コーキングカートリッジを準備するカートリッジ準備工程と、前記カートリッジ準備工程で準備された前記コーキングカートリッジの前記カートリッジ本体の前記前方位置よりも後側を切断する切断工程と、後側が切断された前記カートリッジ本体（又は前記コーキングカートリッジ）に対応する長さのカートリッジ装着部、このカートリッジ装着部に装着された前記コーキングカートリッジの前記スライド底部を押して前方にスライド移動させる押圧ピストン及び手で支えるための把持部を備え、この把持部が把持部本体及び前記押圧ピストンを前進させるためのレバーを有しているコーキングガンを準備するガン準備工程と、前記切断工程で前記カートリッジ本体の後側が切断された前記コーキングカートリッジを前記カートリッジ装着部に装着し、前記把持部を握り前記レバーを操作して前記押圧ピストンを前進させ、この押圧ピストンで前記スライド底部を押して前方にスライド移動させることにより、前記ノズル部から前記コーキング材をコーキング個所に向けて放出する充填工程と、を備えるものである。ここでは、例えば２８０ｍｍ乃至３００ｍｍ程度の長いコーキングカートリッジの使用が前提となる（カートリッジ本体の長さは、例えば２１０ｍｍ乃至２３０ｍｍ）。この長いコーキングカートリッジが大型のコーキングガンに装着され、例えば比較的広いスペースで目地などを埋めるために使用される。コーキングカートリッジ内のコーキング材が残り少なくなったら、例えば未使用時の３分の１程度になったら、コーキングカートリッジをコーキングガンから取り外し、コーキングカートリッジ又はカートリッジ本体のスライド底部よりも後側の部分を切断する。切断する個所は予め設定されているのが普通である。そして、後側が切断されたコーキングカートリッジを小型のコーキングガンに装着する。小型のコーキングガンは、後側が切断されたカートリッジ本体又はコーキングカートリッジに対応する長さのカートリッジ装着部と、このカートリッジ装着部に装着されたコーキングカートリッジのスライド底部を押して前方にスライド移動させる押圧ピストンと、コーキングガンを手で支えるための把持部と、を備え、この把持部が把持部本体及び押圧ピストンを前進させるためのレバーを有しているものである。例えば、切断されたときのカートリッジ本体又はコーキングカートリッジの長さは予め設定され（例えばカートリッジ本体の長さは９０ｍｍ又は９０ｍｍ程度、コーキングカートリッジの長さは１６０ｍｍ又は１６０ｍｍ程度）、カートリッジ装着部は、この予め設定された長さに対応する長さを有している。すなわち、例えば、予め設定された長さを越える又は大きく越える長さのコーキングカートリッジ又はカートリッジ本体を装着できないような短い長さ又は予め設定された長さに切断されたコーキングカートリッジ又はカートリッジ本体を装着するのに適した短い長さをカートリッジ装着部は有している。例えば、カートリッジ装着部は、切断前のコーキングカートリッジを装着できないように短く形成されている。小型のコーキングガンは、充填工程に先立って準備されていればよい。コーキングカートリッジは例えばプラスチック製であり、コーキング材はパテなどの樹脂材である。
【０００８】
カートリッジ準備工程で準備されるコーキングカートリッジは、例えばコーキング作業に使用されたものである。
【０００９】
把持部に、カートリッジ本体の前方位置（スライド底部がスライド移動した位置）よりも後側を切断する切断歯部材を設けておくことが好ましい。この切断歯部材は、把持部本体又はレバーに収容される収容位置と、把持部本体又はレバーから突出する又は引き出された切断位置とに変位可能、例えば一端部を中心として回転変位可能としておくことができる。そして、切断歯部材を切断位置に変位させ、この切断歯部材と把持部本体又はレバーとでカートリッジ本体を挟み付け、このカートリッジ本体を回転させることによりカートリッジ本体の後側を切断歯部材で切断する。
【００１０】
また、本発明のコーキングガンは、筒状のカートリッジ本体、このカートリッジ本体の前端部に設けられたノズル部及びこのカートリッジ本体内に配置されたスライド底部を有し、前記カートリッジ本体内にコーキング材が収容されているコーキングカートリッジを装着し、前記ノズル部から前記コーキング材を放出させるコーキングガンであって、前記コーキングカートリッジ又は前記カートリッジ本体を装着するためのカートリッジ装着部と、このカートリッジ装着部に装着された前記コーキングカートリッジの前記スライド底部を押して前方にスライド移動させる押圧ピストンと、この押圧ピストンを支えるピストンロッドと、コーキングガンを手で支えるための把持部と、を備え、この把持部が、把持部本体及び前記ピストンロッドを作動させて前記押圧ピストンを前進させるレバーを有していて、前記カートリッジ装着部は、前方にスライド移動した前記スライド底部よりも後側が切断された前記カートリッジ本体（又は前記コーキングカートリッジ）に対応する長さを有し、前記把持部には、前記カートリッジ本体の前記スライド底部よりも後側を切断する切断歯部材が設けられているものである。ここでも、例えば３００ｍｍ程度の長いコーキングカートリッジの使用が前提となる。この長いコーキングカートリッジが大型のコーキングガンに装着され、例えば比較的広いスペースで目地などを埋めるために使用される。長いコーキングカートリッジ内のコーキング材が残り少なくなったら、例えば未使用時の３分の１程度になったら、長いコーキングカートリッジを大型のコーキングガンから取り外し、長いコーキングカートリッジ又はカートリッジ本体のスライド底部よりも後側の部分を切断する。そして、後側が切断されたコーキングカートリッジを請求項４の発明の小型のコーキングガンに装着する。
【００１１】
切断歯部材は、把持部本体又はレバーに収容される収容位置と、把持部本体又はレバーから突出する又は引き出された切断位置とに変位可能、例えば一端部を中心として回転変位可能としておくことができる。そして、切断歯部材を切断位置に変位させ、この切断歯部材と把持部本体又はレバーとでカートリッジ本体を挟み付け、このカートリッジ本体を回転させることにより前記カートリッジ本体の後側を切断歯部材で切断する。
【００１２】
ところで、前方に移動したスライド底部を後方位置まで押し戻せば、カートリッジ本体内にコーキング材を収容して再びコーキングカートリッジとして使用することができる。カートリッジ本体が短ければ、スライド底部を傷めることなく押し戻すことが可能となる。そこで、押圧ピストンをピストンロッドの前端部に取り外し可能に取り付けておき、押圧ピストンを取り外したときに、ピストンロッドの前端部を、コーキングカートリッジのスライド底部を後端側に押し戻す押し戻し部として形成できるように構成しておく。具体的には、押圧ピストンを取り外し、ピストンロッドの前端部を、前端面が球面状（例えば曲率の小さな球面状）に形成された大径部（押し戻し部）として構成できるようにしておく。カートリッジ本体の前端面からはノズルを取り付けるための取り付け口部が突出している場合が多く、カートリッジ本体を前後が逆となるようにカートリッジ装着部に取り付けてレバーを操作することにより、ピストンロッドがこの取り付け口部からカートリッジ本体内に挿入され、大きな球面状の前端面がスライド底部を後端側に押すこととなる。
【発明の効果】
【００１３】
本発明のコーキング方法やコーキングガンを用いれば、コーキング作業に用いられた長いコーキングカートリッジの残りのコーキング材を有効に利用して必要個所にコーキング材を充填できる。
【図面の簡単な説明】
【００１４】
【図１】本発明に係るコーキング方法の実施に用いるコーキングガンの斜視図である。
【図２】コーキングガンの別の斜視図である。
【図３】コーキングガンの断面図である。
【図４】ストッパプレート個所の拡大図である
【図５】駆動プレート個所の拡大図である。
【図６】押圧ピストンの取り付け構造を示す図である。
【図７】押圧ピストンの前進動作を説明するための図である。
【図８】本発明に係るコーキング方法のカートリッジ準備工程及び切断工程を説明するための図である。
【図９】短いコーキングカートリッジの断面図である。
【図１０】本発明に係るコーキング方法の充填工程を説明するための図である。
【図１１】コーキングガンを用いてスライド底部をカートリッジ本体の後端側に押し戻す場合を概念的に説明する図である。
【発明を実施するための最良の形態】
【００１５】
以下、本発明の実施の形態を図面を参照して説明する。
【００１６】
図1は本発明に係るコーキング方法の実施に用いるコーキングガンの斜め上側から見た斜視図、図２はコーキングガンの斜め下側から見た斜視図、図３はコーキングガンの把持部の内部構造を示すための断面図、図４はストッパプレートの機能を示すためのストッパプレート個所の拡大図、図５は駆動プレートの機能を示すための駆動プレート個所の拡大図、図６は押圧ピストンの取り付け構造を示し、押し戻し部の形状を示す図、図７はレバーの操作による押圧ピストンの前進動作を説明するための図である。
【００１７】
コーキングガン１は、把持部３と、この把持部３に固定されたカートリッジ装着部５と、カートリッジ装着部５の後端部及び把持部３を貫通して延びるピストンロッド７と、ピストンロッド７の前端部に固定されてカートリッジ装着部５内に位置する深皿状の押圧ピストン９と、を備えている。
【００１８】
把持部３は、把持部本体１１と、この把持部本体１１に揺動可能に取り付けられたレバー１３と、を有し、このレバー１３内には細長い切断歯部材１５が揺動可能に収められている。把持部本体１１は、一対の側壁部１７及びこの一対の側壁部１７を連結する後壁部１９を有して断面コ字状に折り曲げ形成された枠体２１を備えていて、それぞれの側壁部１７の上側部前端には、外側に折り曲げて形成された取り付け部２３が設けられ（一方側の取り付け部２３のみ図示）、また、一対の側壁部１７間の上側又は中間部上側にはレバー取り付けピン２５が掛け渡されて取り付けられている。レバー１３は、一対の側壁部２７及びこの一対の側壁部２７を連結する前壁部２９を有して断面コ字状に折り曲げ形成された枠体３１を備えていて、一対の側壁部２７の上端部に設けられた取り付け孔（特に図示せず）にレバー取り付けピン２５が通されることにより、レバー取り付けピン２５を中心として揺動できる状態で把持部本体１１に取り付けられている。レバー取り付けピン２５には、トーションスプリング３３のコイル部３５が嵌められていて、このトーションスプリング３３の一端側３７は把持部本体１１の後壁部１９内面に押し付けられ、他端側３９はレバー１３の前壁部２９内面に押し付けられている。したがって、レバー１３は図１で時計回り方向に付勢され、側壁部２７の上端部後側が把持部本体１１の後壁部１９内面に当接した状態に保持されている。なお、レバー１３の一対の側壁部２７間の上端側には作動ピン４１が掛け渡されて取り付けられている。
【００１９】
レバー１３の一対の側壁部２７間の上下方向又は長さ方向中間には切断歯取り付けピン４３が掛け渡されて取り付けられていて、切断歯部材１５の上端部に設けられた取り付け孔４５にこの切断歯取り付けピン４３をゆるく通すことにより、細長いプレート状の切断歯部材１５が切断歯取り付けピン４３を中心として揺動できる状態でレバー１３に取り付けられている。切断歯部材１５の後縁部には全長にわたって又はほぼ全長にわたってのこぎり歯４７が形成されている。レバー１３内には、切断歯取り付けピン４３よりも下側で、弾性材製の保持部材４９が一対の側壁部２７によって圧縮された状態で固定されていて、この保持部材４９はブロック状に形成されているが、幅方向中央を通って全長にわたって延びるスリット５１が表面側から設けられている。切断歯部材１５は、幅方向に自由に移動させたり傾斜させたりすることができるようにレバー１３に取り付けられているが、保持部材４９のスリット５１に押し込むことにより、一対の側壁部２７間の中央又はほぼ中央を通って延びる状態に保持される（図２の状態）。
【００２０】
レバー１３の先端部（下端部）には、レバー１３の開口側を跨ぐようにコ字状のストッパ部材５２が取り付けられている。ストッパ部材５２は、レバー１３の開口側を横切るように位置するストッパプレート部５３及びこのストッパプレート部５３の両側に折り曲げ形成された側部プレート部５４を有し、この側部プレート部５４がレバー１３の側壁部２７の外面に回転可能に接続されている。ストッパ部材５２は、ストッパプレート部５３の一端縁部５５がレバー１３の先端部に当接する作動位置（図１の実線で示す位置）から上方に９０°を越えて回転させることができるように構成されていて（ある程度の回転抵抗を有して回転できるように構成されているので、ストッパ部材５２は任意の回転位置に保持され得る）、ストッパプレート５３部は、幅方向に対して傾斜して配置され、他端縁部５６の幅方向中央に係合スリット（係合細溝）５７を有している。ストッパ部材５２が作動位置に回転しているとき、切断歯部材１５は、先端部がストッパプレート部５３の幅方向一端部に一致又は対応する状態では（図４の仮想線で示す切断歯部材１５参照、保持部材４９を弾性変形させることにより、切断歯部材１５をこのような態勢とすることができる）、先端部がストッパプレート部５３に引っ掛からずに自由に揺動できるようになっているが、先端部がストッパプレート部５３の幅方向中間部や幅方向他端側に一致又は対応している状態では、先端部がストッパプレート部５３に引っ掛かってしまうので、先端部がストッパプレート部５３を通過するように揺動できないようになっている（図４の実線で示す切断歯部材１５参照）。なお、ストッパ部材５２を上方に回転させることにより、切断歯部材１５が収容状態から突出することを確実に防止でき、また切断歯部材１５の先端側ののこぎり歯４７を覆うことができるので、安全性が向上する。
【００２１】
したがって、切断歯部材１５が保持部材４９のスリット５１に深く入り込み、レバー１３内に完全に、ほぼ完全に又は大きく突出しないように収容された収容状態（ここでは、例えばストッパ部材５２が上方に回転し、例えば切断歯部材１５を押え付けている）のときに、ストッパ部材５２を作動位置に回転させ、切断歯部材１５の先端部をストッパプレート部５３の幅方向一端部に寄せると、切断歯部材１５をレバー１３から突出した引き出し状態に揺動させることができる。引き出し状態での切断歯部材１５は、先端部がストッパプレート部５３の幅方向中間部や幅方向他端側に一致又は対応しているときには、先端部がストッパプレート部５３の他端縁部５６と係合するので（ここでは、ストッパ部材５２は例えば作動位置に回転したままの状態となっている）引き出し状態に保持されるが、切断歯部材１５の先端部をストッパプレート部５３の幅方向一端部に寄せると、切断歯部材１５を揺動させて収納状態とすることができる。
【００２２】
カートリッジ装着部５は、把持部本体１１の取り付け部２３に固定された後方受け部５９と、この後方受け部５９と所定の間隔で配置された前方受け部６１と、後方受け部５９及び前方受け部６１を連結する断面半円形の下側受け部６３と、を備え、後方受け部５９は、円板状底部６５を有する有底環状体として形成され、前方受け部６１は、Ｕ字状の先端壁６７の外縁に沿って長さ方向部６９を設けることにより形成されている。
【００２３】
後方受け部５９の円板状底部６５の中央にはロッド孔（図示せず）が形成され、このロッド孔をゆるく貫通するようにピストンロッド７が配置されていて、ピストンロッド７の後方は、把持部本体１１の後壁部１９の上端側に形成された突出孔７１をゆるく貫通して後方に突出している。ピストンロッド７には、把持部本体１１内に位置するように柔軟な保持環７３がきつく嵌められ、また、把持部本体１１内に位置するように、かつ保持環７３よりも後方となるように駆動プレート７５がゆるく嵌められていて、さらに、保持環７３と駆動プレート７５との間に位置するように圧縮コイルスプリング７７が嵌められている。したがって、駆動プレート７５は把持部本体１１の後壁部１９の内面（具体的には後壁部１９の突出孔７１の内側の突出縁部）に押し付けられ、保持環７３は後方受け部５９の円板状底部６５の外面に押し付けられている。駆動プレート７５は、ピストンロッド７をゆるく通している駆動孔７９を上端側に有し（図５参照）、下端側がレバー１３の作動ピン４１と接触又は接近している。なお、ピストンロッド７の後端部は、例えばベルトなどに引っ掛けることができるように鉤形に曲げられている。
【００２４】
ピストンロッド７の前端部には、押圧ピストン９がカートリッジ装着部５内に位置するように取り付けられているが、ピストンロッド７の前端部は小径の雄ネジ部８１として形成されていて、押圧ピストン７は、中央部に設けられた取り付け孔８３に雄ネジ部８１を通し、押圧ピストン９から突出する雄ネジ部８１に、前端面が緩やかな球面状に形成された袋ナット８５をねじ付けることにより、雄ネジ部８１の付け根の段部と袋ナット８５とで挟み付けられている（図６参照）。なお、袋ナット８５は、ピストンロッド７よりも大径に形成されている。
【００２５】
ここで、レバー１３をトーションスプリング３３のバネ力に抗して引くと、レバー１３の作動ピン４１に押されて駆動プレート７５の下側が前方に移動する。駆動プレート７５の上側は圧縮コイルスプリング７７で後方に押されているので、駆動プレート７５は下側に向かって前側に傾斜し、駆動プレート７５の駆動孔７９がピストンロッド７と係合する。レバー１３をさらに引くと、作動ピン４１に押されて駆動プレート７９がピストンロッド７をともなって前方に移動し、ピストンロッド７の前端部に取り付けられている押圧ピストン９が前進する（図７ａ参照）。ピストンロッド７は、後方受け部５９の円板状底部６５の外面に押し付けられている保持環７３内を通って前方に移動しているので、レバー１３から引き力が解除され、レバー１３がトーションスプリング３３のバネ力により復帰し、駆動プレート７３が圧縮コイルスプリング７７のバネ力により復帰しても、保持環７３によって前進した状態に保持される（図７ｂ参照）。押圧ピストン９は、レバー１３を引くたびに間欠的に前進する。なお、前方に移動したピストンロッド７は、押圧ピストン９が後方受け部５９の円板状底部６５に当接するまで引き戻すことができる。また、ピストンロッド７の作動構造としては、公知の種々の構成を採用することができる。
【００２６】
図８は本発明に係るコーキング方法のカートリッジ準備工程及び切断工程を説明するための図、図９は短いコーキングカートリッジの断面図である。
【００２７】
本発明に係るコーキング方法を実施するにはまず、２８０ｍｍ乃至３００ｍｍ程度の長いコーキングカートリッジ９１を例えば特許文献１や特許文献２に記載された大型のコーキングガンに装着してコーキング作業を行う。コーキングカートリッジ９１は、筒状のカートリッジ本体９３と、このカートリッジ本体９３の前端部に設けられた取り付け口部９５にネジ付けされたノズル９７と、カートリッジ本体９３内に配置された、カートリッジ本体９３内を密封状態でスライドするスライド底部９９と、を有し、カートリッジ本体９３内にコーキング材１０１が収容されている（図９も参照）。スライド底部９９は、例えば、円板状の底部本体と、この底部本体の外円縁部に形成された、カートリッジ本体９３の内面上を密封状態で摺動する環状部と、を有している。したがって、大型のコーキングガンに装着してコーキング作業を行った後のコーキングカートリッジ９１は、スライド底部９９がカートリッジ本体９３の前方位置に移動している（カートリッジ準備工程、図８ａ参照）。次に、切断歯部材１５をレバー１３から突出した引き出し状態とし、準備したコーキングカートリッジ９１のスライド底部９９よりも後側を、切断歯部材１５と把持部本体１１とで挟み付ける。このとき、切断歯部材１５がストッパプレート部５３の他端縁部５６の係合スリット５７内に嵌まり込むようにする。そして、矢印で示すようにコーキングカートリッジ９１を回転させて、カートリッジ本体９３のスライド底部９９よりも後側を切断歯部材１５で切断し（切断工程、図８ｂ参照）、短いコーキングカートリッジ９１を構成する（図９参照）。なお、切断工程が終了したら、切断歯部材１５を収容位置に移動させてレバー１３内に収容しておく。
【００２８】
図１０は本発明に係るコーキング方法の充填工程を説明するための図である。
【００２９】
このようにして構成した短いコーキングカートリッジ９１を、図１０に示すように、予め準備しておいた本発明に係るコーキングガン１のカートリッジ装着部５に装着する。カートリッジ装着部５は、カートリッジ本体９３の後側を切断した短いコーキングカートリッジ９１を装着するように短く構成されている。コーキングカートリッジ１は、ノズル９７を前方受け部６１のＵ字状の前端壁６７に嵌め込み、カートリッジ本体９３を下側受け部６３に収容するようにしてカートリッジ装着部５に装着される。ここでは、押圧ピストン９は、後方受け部５９の円板状底部６５と接触又は円板状底部６５に接近している。カートリッジ装着部５には、カートリッジ本体９３の長さ（取り付け口部９５を除いたカートリッジ本体９３の長さ）が、前方受け部６１のＵ字状の前端壁６７の内面と後方受け部５９の円板状底部６５の内面との間隔以下のコーキングカートリッジ９１を装着することができるが、ここでのコーキングカートリッジ９１のカートリッジ本体９３の長さは、前方受け部６１のＵ字状の前端壁６７の内面と後方受け部５９の円板状底部６５の内面との間隔よりも短い。カートリッジ装着部５に短いコーキングカートリッジ９１を装着したら、レバー１３を引いて押圧ピストン９を間欠的に前進させ、スライド底部９９を前側に移動してノズル９７からコーキング材１０１を充填個所に放出する。
【００３０】
図１１はコーキングガン１を用いてスライド底部９９をカートリッジ本体９３の後端部に戻す場合を概念的に説明する図である。
【００３１】
スライド底部９９をカートリッジ本体９３の前端部まで移動させ、収容されていたコーキング材１０１を使い切ったら、ピストンロッド７を後側に引き戻し、カートリッジ装着部５からコーキングカートリッジ９１を取り外す。そして、袋ナット８５をピストンロッド７の雄ネジ部８１から取り外し、押圧ピストン９をピストンロッド７から抜き取り、袋ナット８５を再び雄ネジ部８１にネジ付ける。ここでは、この袋ナット８５が押し戻し部を形成する。また、カートリッジ本体９３の取り付け口部９５からノズル９７を取り外し、取り付け口部９５が後側となるように、又は取り付け口部９５内に袋ナット８５又はピストンロッド７の前端部が入り込むようにして、カートリッジ装着部５にコーキングカートリッジ９１を装着する。そして、レバー１３を引いて袋ナット８５を間欠的に前進させると、袋ナット８５に押されてスライド底部９９がカートリッジ本体９３の後方に移動する。袋ナット８５は取り付け口部９５を通過するのに支障がない限度で大径に形成され、かつ前端面が曲率の小さい球面状となっているので、スライド底部９９を傷付けることなく押し戻すことができる。スライド底部９９がカートリッジ本体９３の後端部まで押し戻されたら、ピストンロッドを後側に引き戻し、カートリッジ本体９３をカートリッジ装着部５から取り外し、内部にコーキング材１０１を充填する。
【産業上の利用可能性】
【００３２】
本発明のコーキング方法及びコーキングガンは、例えば一般住宅のリフォーム工事で用いることができる。
【符号の説明】
【００３３】
１                    コーキングガン
３                    把持部
５                    カートリッジ装着部
９                    押圧ピストン
１１                    把持部本体
１３                    レバー
９１                    コーキングカートリッジ
９３                    カートリッジ本体
９５                    取り付け口部（ノズル部）
９７                    ノズル（ノズル部）
９９                    スライド底部
１０１                    コーキング材
【図１】
2013047422.tif 000003
【図２】
2013047422.tif 000004
【図３】
2013047422.tif 000005
【図４】
2013047422.tif 000006
【図５】
2013047422.tif 000007
【図６】
2013047422.tif 000008
【図７】
2013047422.tif 000009
【図８】
2013047422.tif 000010
【図９】
2013047422.tif 000011
【図１０】
2013047422.tif 000012
【図１１】
2013047422.tif 000013